【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
表示結果が導出される前に、複数種類の入賞について発生を許容するか否かを決定する事前決定手段と、
前記可変表示部における変動表示を停止させるための操作を、前記複数の可変表示部毎に受付ける導出操作受付手段と、
前記事前決定手段の決定結果および前記導出操作受付手段が受付けた操作に応じて、表示結果を導出させる制御を行なう手段であって、前記複数の可変表示部すべてにおいて変動表示している段階から、前記操作を受付けることにより当該操作に対応する可変表示部における変動表示が停止した段階に更新させる導出制御手段と、
前記操作がなされた場合でも当該操作によって前記可変表示部における変動表示を停止させないための停止不能制御を行なう停止不能制御手段と、
所定の情報を報知する報知手段とを備え、
前記導出制御手段は、前記事前決定手段の決定結果が複数種類の特定結果のうちいずれかとなっているときであって、予め定められた第１段階において当該特定結果の種類に対応する予め定められた第１可変表示部の変動表示を停止させる操作が受付けられ、かつ当該操作により前記第１可変表示部の変動表示が停止した状態に更新された第２段階において、当該特定結果の種類に対応する予め定められた第２可変表示部の変動表示を停止させる操作が受付けられたことを条件として、遊技者にとって有利な有利表示結果を導出させる制御を行ない、
前記停止不能制御手段は、前記事前決定手段の決定結果が前記複数種類の特定結果のうちいずれかとなっており、かつ前記第１段階において前記第１可変表示部の変動表示を停止させる操作が受付けられたときに、前記第２段階に更新されてから所定期間経過するまで前記停止不能制御を行ない、
前記複数種類の特定結果は、入賞の発生を許容する旨を次ゲーム以降に持ち越さない決定結果であり、
前記報知手段は、前記事前決定手段の決定結果が前記複数種類の特定結果のうちいずれかとなっており、前記第２段階に更新されて前記停止不能制御が行なわれているときに当該特定結果の種類に対応する第２可変表示部を特定可能な情報を報知し、
前記スロットマシンは、前記事前決定手段の決定結果が前記複数種類の特定結果のうちいずれかとなりかつ前記第１段階において当該特定結果の種類に対応する前記可変表示部を特定可能な情報を報知しないときに、前記複数種類の特定結果のいずれかとなっていることを示唆する特定演出を実行可能な特定演出手段をさらに備える、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せである表示結果組合せに応じて入賞が発生可能なスロットマシンに関する。
【手続補正３】
【補正対象書類名】明細書
【補正対象項目名】０００９
【補正方法】変更
【補正の内容】
【０００９】
この発明は、かかる実情に鑑み考え出されたものであり、その目的は、遊技者にとって有利な表示結果が導出されることに対する期待感を持続させることにより、遊技の興趣を向上させることができるスロットマシンを提供することである。
【手続補正４】
【補正対象書類名】明細書
【補正対象項目名】００１０
【補正方法】変更
【補正の内容】
【００１０】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
表示結果が導出される前に、複数種類の入賞について発生を許容するか否かを決定する事前決定手段と、
前記可変表示部における変動表示を停止させるための操作を、前記複数の可変表示部毎に受付ける導出操作受付手段と、
前記事前決定手段の決定結果および前記導出操作受付手段が受付けた操作に応じて、表示結果を導出させる制御を行なう手段であって、前記複数の可変表示部すべてにおいて変動表示している段階から、前記操作を受付けることにより当該操作に対応する可変表示部における変動表示が停止した段階に更新させる導出制御手段と、
前記操作がなされた場合でも当該操作によって前記可変表示部における変動表示を停止させないための停止不能制御を行なう停止不能制御手段と、
所定の情報を報知する報知手段とを備え、
前記導出制御手段は、前記事前決定手段の決定結果が複数種類の特定結果のうちいずれかとなっているときであって、予め定められた第１段階において当該特定結果の種類に対応する予め定められた第１可変表示部の変動表示を停止させる操作が受付けられ、かつ当該操作により前記第１可変表示部の変動表示が停止した状態に更新された第２段階において、当該特定結果の種類に対応する予め定められた第２可変表示部の変動表示を停止させる操作が受付けられたことを条件として、遊技者にとって有利な有利表示結果を導出させる制御を行ない、
前記停止不能制御手段は、前記事前決定手段の決定結果が前記複数種類の特定結果のうちいずれかとなっており、かつ前記第１段階において前記第１可変表示部の変動表示を停止させる操作が受付けられたときに、前記第２段階に更新されてから所定期間経過するまで前記停止不能制御を行ない、
前記複数種類の特定結果は、入賞の発生を許容する旨を次ゲーム以降に持ち越さない決定結果であり、
前記報知手段は、前記事前決定手段の決定結果が前記複数種類の特定結果のうちいずれかとなっており、前記第２段階に更新されて前記停止不能制御が行なわれているときに当該特定結果の種類に対応する第２可変表示部を特定可能な情報を報知し、
前記スロットマシンは、前記事前決定手段の決定結果が前記複数種類の特定結果のうちいずれかとなりかつ前記第１段階において当該特定結果の種類に対応する前記可変表示部を特定可能な情報を報知しないときに、前記複数種類の特定結果のいずれかとなっていることを示唆する特定演出を実行可能な特定演出手段をさらに備える。
なお、以下の構成を備えるものであってもよい。
（１）  １ゲームに対して賭数を設定することによりゲームが開始可能となるとともに、表示状態を変化させることが可能な可変表示領域を複数有する可変表示装置に表示結果が導出されることにより１ゲームが終了し、該可変表示装置の表示結果に応じて入賞が発生可能とされたスロットマシン（第１〜第４実施の形態におけるスロットマシン）であって、
前記可変表示装置に表示結果が導出される前に、複数種類の入賞について発生を許容するか否かを決定する事前決定手段（内部抽選処理）と、
前記複数の可変表示領域すべてにおける表示状態が変化されてから、前記可変表示領域における表示状態を停止させるための操作を、前記複数の可変表示領域毎に受付ける導出操作受付手段（第１〜第３停止を受付けるストップスイッチ８Ｌ〜８Ｒ）と、
前記事前決定手段の決定結果および前記導出操作受付手段が受付けた操作に応じて、前記可変表示装置に表示結果を導出させる制御を行なう手段であって、前記複数の可変表示領域すべてにおける表示状態が変化している段階から、前記操作を受付ける毎に当該操作に対応する可変表示領域における表示状態を停止させることにより当該可変表示領域における表示状態が停止した段階に更新させる導出制御手段（リール回転処理）と、
前記操作がなされた場合でも当該操作によって前記可変表示領域における表示状態を停止させないための停止不能制御を行なう停止不能制御手段（フリーズ発生させるための処理）と、
所定の情報（ナビ演出）を報知する報知手段（ナビ演出実行処理）とを備え、
前記導出制御手段は、前記事前決定手段の決定結果が複数種類の特定結果（第１実施の形態における左押しブドウ１，２、中押しブドウ１，２、右押しブドウ１，２、第２実施および第３実施の形態における左押しリプレイ１，２、中押しリプレイ１，２、右押しリプレイ１，２、第３の実施形態における左押しリプレイ１，２、中押しリプレイ１，２、右押しリプレイ１，２、第４実施の形態における黒７ブドウ、白７ブドウ、ＢＡＲブドウ）のうちいずれかとなっているときであって、予め定められた第１の段階（リール２Ｌ〜２Ｒすべてが回転している段階）で前記操作が受付けられた後に少なくとも一の可変表示領域における表示状態が停止した状態に更新された第２の段階（第１停止に対応するリールが停止した状態）において、当該特定結果の種類に対応する予め定められた特定手順（有利操作手順）で前記操作が受付けられたことを条件として、遊技者にとって有利な有利表示結果（第１実施の形態におけるバナナブドウ、第２実施の形態におけるバナナリプレイ、第３実施の形態における昇格リプレイ，通常リプレイ、第４実施の形態における黒７ブドウ・白７ブドウ・ＢＡＲブドウなど）を導出させる制御を行ない、
前記停止不能制御手段は、前記事前決定手段の決定結果が前記複数種類の特定結果のうちいずれかとなっていることを条件として、前記第２の段階に更新されてから所定期間経過するまで前記停止不能制御を行ない（図１１のＳＡ０５、ＳＡ０６）、
前記報知手段は、
前記事前決定手段の決定結果が前記複数種類の特定結果のうちいずれかとなっていることを条件として、前記第１の段階において当該特定結果の種類に対応する情報（完全ナビ演出）を報知する第１段階報知手段（完全ナビ演出を実行するための処理）と、
前記事前決定手段の決定結果が前記複数種類の特定結果のうちいずれかとなっており、前記第２の段階に更新されて前記停止不能制御手段により前記停止不能制御が行なわれていることを条件として、当該停止不能制御が行なわれているときに当該特定結果の種類に対応する情報（途中ナビ演出）を報知する第２段階報知手段（途中ナビ演出を実行するための処理）とを含む。